(57)【要約】【課題】上面から下面に貫通する複数の栽培孔を有した栽培トレーを用いて水耕栽培を行うにおいて、発芽工程時において栽培トレーを重ね置いた際に、栽培孔の位置が上下の栽培トレーで重なり、栽培孔の底からすぐに水が排出されてしまったり、耕土が流出してしまうことがないような水耕栽培用の栽培トレーを提供する。【解決手段】栽培トレー２は、同一形状であり、且つ各栽培トレー２の前後を逆向きにして重ね合わせたときにも外周寸法は同一であり、例えば栽培孔２１全体を前後左右いずれかに偏寄して開口することにより、前記栽培孔２１の位置は上下に位置する栽培トレー２で重ならないようにされていることを特徴とする。また栽培トレー２には、前後左右が瞬時に判別できるような切り欠き２３ａなどのマーキングＭが施されていることを特徴とする。【選択図】      図３
2004344088.tif 000002
【特許請求の範囲】
【請求項１】
上面から下面に貫通する複数の栽培孔を有し、この栽培孔に耕土を詰めて栽培床を形成し、この栽培床に種子を播き、発芽させ、幼苗となった後、培養液上に浮かべて幼苗を生長させる水耕栽培用の栽培トレーにおいて、これら複数の栽培トレーは同一形状であり、各栽培トレーの前後を逆向きにして重ね合わせたときに、外周寸法は同一であり、前記栽培孔の位置は上下に位置する栽培トレーで重ならないよう前記栽培孔が開口されていることを特徴とする水耕栽培用の栽培トレー。
【請求項２】
前記各栽培トレーの前後を逆向きにして重ね合わせたときに、外周寸法は同一であり、前記栽培孔の位置は上下に位置する栽培トレーで重ならないよう前記栽培孔を開口するにあたっては、栽培孔全体を前後左右いずれかに偏寄して開口したことを特徴とする請求項１記載の水耕栽培用の栽培トレー。
【請求項３】
前記栽培トレーの前後左右を知るためのマーキングが、栽培トレーの所定の位置に行われていることを特徴とする請求項１または２記載の水耕栽培用の栽培トレー。
【請求項４】
前記栽培トレーは矩形平板状をしており、いずれか一方の長辺の上面部に、前記マーキングの切り欠きが形成されていることを特徴とする請求項３記載の水耕栽培用の栽培トレー。
【請求項５】
前記栽培トレーの栽培孔はスリット孔であり、且つ比較的上面が広く開口され、下方に向かって穴が狭まるように形成されていることを特徴とする請求項１、２、３または４記載の水耕栽培用の栽培トレー。
【請求項６】
前記培養液は育成棚の一端から他端に向かって流れが形成されるように供給されており、一方この育成棚に支持される栽培トレーは、上流から順次下流に、培養液の流れに従って、前空き状態になった際に間詰め状に移動し、この移動期間において栽培床の幼苗を収穫状態にまで成長するように栽培することを特徴とする請求項１、２、３、４または５記載の水耕栽培用の栽培トレー。
【発明の詳細な説明】
【０００１】
【発明の属する技術分野】
本発明は水耕栽培の手法に関するものであって、特に収穫効率の向上、作業負担の軽減を図ることのできる新規な水耕栽培の方法並びに装置に係るものである。
【０００２】
【発明の背景】
例えば野菜類のいくつかの種類のものは、水耕ハウス栽培の手法が採られている。このようないわゆる管理農法においては、栽培管理それ自体の改善と共に限られた面積のハウス内を高効率に利用して育成すること、更には作業性の向上と、作業労力の軽減等をも併せ改良されてきている。
従来の水耕栽培方法としては、作物の幼苗を植えたポットをキャリアの開口にはめ、そのキャリアを養液を流したトラフの上部に取り付けて作物を移植し、そのトラフをトラフレーンの始発端から終着端まで所定の日数をかけて前進させて作物を成長させ、終着端において成熟した作物を収穫する水耕栽培方法があった（例えば、特許文献１参照）。
【０００３】
ところで本出願人は、栽培トレーとして同一の複数の栽培トレーを培養液上に浮かべて幼苗を生長させることをしている。具体的には栽培トレーは、複数の栽培孔が開口された一種類のものを用い、発芽時には栽培孔に耕土を詰め、ここに種子を播いた後、水を散布し、そしてこの栽培トレーを複数枚重ねて合成樹脂製のシート等で覆い発芽させ、幼苗となった状態で培養液が供給された水槽に浮かべて生長させることを行っている。
なお、上述した発芽時に栽培トレーを重ねて発芽室内に放置するのは、載置スペースが少なく済むこともあるが、栽培床がすぐに乾燥してしまうことを防ぐ目的やある程度幼苗の生長を抑え、均一した生長の幼苗を得ることにある。
しかしながら、上記栽培トレーを重ねた際に、栽培孔の位置が上下の栽培トレーで重なるため、栽培孔の底からすぐに水が排出されてしまったり、耕土が流出してしまうという問題点があった。
因みに水面や培養液上に浮かべるタイプの栽培トレー等の植生体に関する発明については、幾つか存在するが（例えば、特許文献２、３参照）、水耕栽培方法自体も異なり、上述するような問題点を解決するような栽培トレーは存在しなかった。
【０００４】
【特許文献１】
特開平６−３０３８６３号公報
【特許文献２】
特開平８−３０８４０８号公報（図１）
【特許文献３】
特開平８−３２２４０６号公報（図２）
【０００５】
【開発を試みた技術的課題】
本発明もこのような開発の一環としてなされるものであって、上面から下面に貫通する複数の栽培孔を有した栽培トレーを用いて水耕栽培を行うにおいて、発芽工程時において栽培トレーを重ね置いた際に、栽培孔の位置が上下の栽培トレーで重なり、栽培孔の底からすぐに水が排出されてしまったり、耕土が流出してしまうことがないような水耕栽培用の栽培トレーの開発を試みたものである。
【０００６】
【課題を解決するための手段】
すなわち請求項１記載の水耕栽培用の栽培トレーは、上面から下面に貫通する複数の栽培孔を有し、この栽培孔に耕土を詰めて栽培床を形成し、この栽培床に種子を播き、発芽させ、幼苗となった後、培養液上に浮かべて幼苗を生長させる水耕栽培用の栽培トレーにおいて、これら複数の栽培トレーは同一形状であり、各栽培トレーの前後を逆向きにして重ね合わせたときに、外周寸法は同一であり、前記栽培孔の位置は上下に位置する栽培トレーで重ならないよう前記栽培孔が開口されていることを特徴として成るものである。
この発明によれば、発芽工程において栽培トレーを重ねて置いたときに栽培孔の孔部に、下方に位置した栽培トレーの上面が当接するため、すぐに排水されてしまうことが防止されるとともに、耕土及び種子の流出も防がれる。なお因みに発芽工程において、栽培トレーを重ねることにより、幼苗の必要以上の生長を抑え、ほぼ均一に生長した幼苗を得ることができる。
【０００７】
また請求項２記載の水耕栽培用の栽培トレーは、前記請求項１記載の要件に加え、前記各栽培トレーの前後を逆向きにして重ね合わせたときに、外周寸法は同一であり、前記栽培孔の位置は上下に位置する栽培トレーで重ならないよう前記栽培孔を開口するにあたっては、栽培孔全体を前後左右いずれかに偏寄して開口したことを特徴として成るものである。
この発明によれば、栽培トレーに対する栽培孔の全体位置によって栽培トレーの前後左右が判断しやすく、発芽工程時栽培トレーを前後を逆向きに重ねる際に、作業効率が向上する。
【０００８】
また請求項３記載の水耕栽培用の栽培トレーは、前記請求項１または２記載の要件に加え、前記栽培トレーの前後左右を知るためのマーキングが、栽培トレーの所定の位置に行われていることを特徴として成るものである。
この発明によれば、マーキングされているため、発芽工程時栽培トレーを前後を逆向きに重ねる際に、容易に判断でき、作業効率が向上するとともに、設置ミスが生じにくい。
【０００９】
更にまた請求項４記載の水耕栽培用の栽培トレーは、前記請求項３記載の要件に加え、前記栽培トレーは矩形平板状をしており、いずれか一方の長辺の上面部に、前記マーキングの切り欠きが形成されていることを特徴として成るものである。
この発明によれば、育成棚等へより多くの栽培トレーを隙間を生じることなく、配置することができる。
【００１０】
更に請求項５記載の水耕栽培用の栽培トレーは、前記請求項１、２、３または４記載の要件に加え、前記栽培トレーの栽培孔はスリット孔であり、且つ比較的上面が広く開口され、下方に向かって穴が狭まるように形成されていることを特徴として成るものである。
この発明によれば、上方から下方に向かって穴が狭まるように形成されているため、耕土がそのまま落下することが防がれる。またスリット孔であるため、栽培トレー上に対し栽培孔の面積を広く取ることができる。
【００１１】
更にまた請求項６記載の水耕栽培用の栽培トレーは、前記請求項１、２、３、４または５記載の要件に加え、前記培養液は育成棚の一端から他端に向かって流れが形成されるように供給されており、一方この育成棚に支持される栽培トレーは、上流から順次下流に、培養液の流れに従って、前空き状態になった際に間詰め状に移動し、この移動期間において栽培床の幼苗を収穫状態にまで成長するように栽培することを特徴として成るものである。
この発明によれば、栽培トレーは培養液上を浮かんで培養液の流れにより移動されるため、常に隣接する栽培トレーは間を詰めた状態となり、整列させる手間が省ける。また栽培トレーの移動構成がコンベヤ等を用いない簡単な構造なため、低コストでの実施ができ、メンテナンスに要する経費も低く抑えることができる。また上述したように単に浮かべて流す構成であるため、育成棚が途中で動かなくなるようなことがほとんどなく、また何かにつかえて動かなくなったとしても棒等で突いて流れを促すことにより簡単に復旧できる。従って従来のハウス内に設けられていた整備・メンテナンス用の作業路を少なくすることができ、逆に水耕栽培面積を広くすることができる。更に育成棚の一端側で収穫できるため、収穫作業の労力が軽減される。
【００１２】
【発明の実施の形態】
以下本発明を図示の実施の形態に基づき説明する。なお以下の説明にあたっては、まず水耕栽培装置を含んだ水耕栽培システムの大略について説明し、次いで水耕栽培装置１の全体の説明とともに本発明に係る栽培トレーの説明を行い、その後、この水耕栽培装置１の作動態様の説明と併せて本発明に係る栽培トレーの使用態様について説明する。なお水耕栽培される作物Ａとしては、例えばルッコラ、コスレタス、グリーンリープ等の野菜の葉の他、その他主にハウス栽培される花、枝、茎等も含むものである。
【００１３】
まず水耕栽培システムの大略について図２に基づき説明する。この水耕栽培システムによる作業手順としては、最初に図２（ａ）に示されるような栽培トレー２への耕土詰め工程がある。この栽培トレー２への耕土Ｓ詰めが終了した後、図２（ｂ）に示されるような耕土Ｓ詰めがなされた栽培トレー２の消毒工程があり、この工程により、耕土Ｓ詰めされた栽培床３と栽培トレー２の消毒がなされる。次に図２（ｃ）に示されるように栽培トレー２の栽培床３への藩種工程があるものであり、その後、水Ｗを散布する水やり工程を経て（図２（ｄ）参照）、発芽工程にて発芽されるのを待つ（図２（ｅ）参照）。そして発芽がなされた幼苗Ａ２を、図２（ｆ）に示されるように栽培トレー２ごと本発明の特徴たる水耕栽培装置１の上流側に載置する。この栽培トレー２は三週間〜四週間の水耕栽培を経て下流端から取り出され、図２（ｇ）に示されるような収穫装置６によって上方の葉Ａ３の部分の収穫が行われる。
【００１４】
水耕栽培システムは大略、以上のような栽培手順を採るものであって、次にこの水耕栽培システムに用いられる水耕栽培装置１について説明する。
水耕栽培装置１は、栽培床３を保持し、且つ培養液１０Ｌに対して充分な浮力を有する本発明に係る栽培トレー２と、この栽培トレー２を多数支持し、培養液１０Ｌが供給される育成棚１０とを具えて成る。
【００１５】
まず前記本発明に係る栽培トレー２について詳細に説明する。本実施の形態では、図３、４に示されるように、一例として発泡スチロール等で縦約６０ｃｍ、横約３０ｃｍの矩形平板状に形成されたものであり、上面から下面に貫通する栽培床３を形成するためのスリット孔である栽培孔２１が、３列で１０個ずつ合計３０の栽培孔２１が等間隔で形成されている。なお栽培トレー２の材質としては、本実施の形態では発泡性合成樹脂を用いるものであるが、培養液１０Ｌに対して充分な浮力を有するものであれば種々の材質及び構造の浮力体を用いることが可能である。前記栽培孔２１は、上面が広く開口され、図３の拡大図に示されるように、下方に向かって穴が狭まるように形成されている。また本実施例の特徴として栽培トレー２の長辺の右辺と栽培孔２１との間は狭い狭縁部２２とされ、左辺と栽培孔２１との間は広く形成された広縁部２３とされている（図４（ａ）参照）。このような構成とするのは、発芽工程で栽培トレー２を重ねて載置する際に、図５に示されるように栽培トレー２の前後の向きを上下の栽培トレー２で逆とすることにより、上下の栽培トレー２の栽培孔２１が重ならないようにするためであり、これにより耕土Ｓ詰めされた栽培床３や、水やり工程での水Ｗが、下方に流出しにくいようにするとともに、発芽された作物Ａの成長を必要以上に大きくなりすぎないように抑制する働きも有している。
また更に広縁部２３側の上面には、マーキングＭの一例たる切り欠き２３ａが形成されており、この切り欠き２３ａによって栽培トレー２の上面と下面、及び前後が即座に判断することが可能となっている。なお栽培トレー２の前後は、本明細書で説明のために便宜的に図４（ａ）中、左辺を前辺とし、右辺を後辺とするが、現実には図１に示されるような実際の水耕栽培時には、長辺のどちらを前後として用いることも可能である。
【００１６】
次に前記育成棚１０について説明する。育成棚１０は、一例としてハウス内等に設けられるものであり、図１に示されるように培養液１０Ｌが供給されるトラフ状のものが適用される。そして育成棚１０は、本発明の特徴として長手方向に傾斜させられているものであって、本実施の形態では一例として４０ｍで５０ｃｍ下る程度の傾斜に設定されている。また育成棚１０は、仕切壁１１により長手方向に複数列に仕切られている。育成棚１０の上流には、培養液１０Ｌの供給管１２が設けられ、この供給管１２の噴出口１２ａから培養液１０Ｌが育成棚１０に供給される。また育成棚１０の上流及び下流には、排水溝１３Ｆ、１３Ｂがある。なお本実施の形態では、一例として図６に示されるように培養液１０Ｌの循環経路１４が設けられるものであり、下流側から排出された培養液１０Ｌが、ポンプＰを介して上流側に送られ、供給管１２から供給されるように構成されている。なお循環経路１４中には図示を省略する浄化や養分の混合ＰＨ調整等を行う培養液調整用の装置が設けられ、循環される培養液１０Ｌを栽培に適した成分状態とするものである。
因みに図示の実施例では一例として図７に示されるように、ハウス内に幅の広い水耕栽培装置１を四基設け、その四基の水耕栽培装置１の間を作業路Ｒとした実施の形態を示したが、このように従来に比べて作業路Ｒを少なくできるのは、自動的に栽培トレー２が育成棚１０の下流端部に移動し、食物が栽培されるためである。因みに図１４は従来の水耕栽培装置１′の設置態様と作業路Ｒ′の関係の一実施例を示す平面図であり、幅の狭い水耕栽培装置１′の両脇に作業路Ｒ′を必要としているものである。
【００１７】
本発明の水耕栽培用の栽培トレー２及びこれが用いられる水耕栽培装置１の一例は以上のような具体的形態を有するものであって、以下この作動態様を説明しながら併せて本発明の水耕栽培方法について説明する。
（１）トレー耕土詰め工程（図２（ａ）参照）
まず栽培トレー２に耕土Ｓ詰めを行い、食物の種子Ａ１を植えるための栽培床３を形成するものであるが、このとき栽培トレー２が下方に向かって先窄まりの形状をしているため、耕土Ｓが落下しないとともに水やり工程での水Ｗの落下も防ぎ、培養液１０Ｌの吸水性も有している。
【００１８】
（２）耕土詰めトレー消毒工程（図２（ｂ）参照）
次に耕土Ｓ詰めされた栽培トレー２を消毒する。この消毒は、消毒室の棚４に所定時間前記耕土Ｓ詰めされた栽培トレー２を載置し、加熱消毒を行うものである。
【００１９】
（３）藩種工程、水やり工程（図２（ｃ）（ｄ）参照）
消毒された栽培トレー２の栽培床３に食物の種子Ａ１をほぼ均等に藩種し、水Ｗを散布する。
【００２０】
（４）発芽工程（図２（ｅ）参照）
栽培トレー２の切り欠き２３ａを目印として、図５に示されるように上下に位置する栽培トレー２で、前後が逆向きとなるようにして栽培トレー２を複数段に重ね、更に早期の水分の蒸発を防ぐため合成樹脂製のシート７等で包んだ状態で発芽室５に載置する。このとき重ねられた栽培トレー２は、上下の栽培トレー２で狭縁部２２と広縁部２３の位置が前後逆であるため、上下の栽培トレー２で栽培孔２１が重ならず、下方の栽培トレー２で栽培床３の底部が支承され耕土Ｓが崩れ落ちたり、水Ｗが短時間の内に排水されて乾燥されてしまうのが防止される。また発芽した種子Ａ１も上方の栽培トレー２で蓋をされた状態であるため、必要以上に成長してしまうことが防がれる。
【００２１】
（５）水耕栽培工程（図１、図２（ｆ）、図６参照）
次に水耕栽培装置１での水耕栽培の態様について説明する。四週程度で収穫できる作物の場合を例にとると、図６に示されるように育成棚１０内の栽培トレー２は、成長段階によって一例として４ブロックに区分されるもので、下流の符号４Ｗで示す育成棚１０が水耕栽培四週目のものであり、３Ｗが三週目、２Ｗが二週目、そして１Ｗが一週目であり、四週目はほぼ収穫の時期となっており、逆に一週目の育成棚１０のものはほとんど葉が成長していない状態である。
そして下流端側の先端の栽培トレー２上の作物Ａが収穫時期まで成長したなら育成棚１０から取り出し、収穫を行う。育成棚１０は、緩やかに傾斜されているため、取り出された栽培トレー２の後方の栽培トレー２は、培養液１０Ｌの流れに乗って下流側に流れ、先端の栽培トレー２は育成棚１０の前面壁に当接して止まり、その後方の栽培トレー２は、培養液１０Ｌの流れによって常時間詰め状態に前方の栽培トレー２に当接して整列されるものである。一方、育成棚１０の上流側には発芽室５で種子Ａ１が発芽した栽培トレー２を、水耕栽培装置１の育成棚１０の上流端側に浮かべるように載置する。
【００２２】
（６）収穫工程（図２（ｇ）参照）
次に収穫工程について説明する。要は収穫工程は、栽培された作物Ａの上方の葉Ａ３を刈り取るものであるが、本実施の形態では、図２（ｇ）に示されるような収穫装置６を用いる。このものの大略として栽培トレー２を移送する栽培トレー移送コンベヤ６０と、この栽培トレー移送コンベヤ６０の途中の上方に設けられる刈刃６１と、刈られた葉Ａ３を移送する被収穫物移送コンベヤ６２とを具えて成る。
このものを用いて収穫を行うにあたっては、作物Ａが生育した栽培トレー２を栽培トレー移送コンベヤ６０に載置する。栽培トレー移送コンベヤ６０により栽培トレー２は、刈刃６１に向かって前進し、刈刃６１が作物Ａに当接して葉Ａ３が刈り取られる。刈り取られた葉Ａ３は被収穫物移送コンベヤ６２上へ送風機６３により吹き飛ばされ、被収穫物移送コンベヤ６２に移送されて終端にある収容箱６４内に投入される。一方上方の葉Ａ３が刈り取られた栽培トレー２は、そのまま栽培トレー移送コンベヤ６０終端まで移送される。
そして収穫された栽培トレー２は残った作物Ａ及び栽培床３を取り除かれ、洗浄されて再度使用される。
【００２３】
【他の実施の形態】
本発明の基本的な実施の形態は以上のようであるが、その他種々の改変が行い得る。
例えば栽培トレー２の側端部は、図８に示すように円弧状に形成しておき、育成棚１０との摩擦をなるべく少なくなるように構成することも可能である。
【００２４】
また各栽培トレー２の前後を逆向きにして重ね合わせたときに、外周寸法は同一であり、前記栽培孔２１の位置は上下に位置する栽培トレー２で重ならないよう前記栽培孔２１を開口するにあたっては、前記基本的な実施の形態で示したように、栽培孔２１全体を前方へ偏寄して開口する他、後方へ偏寄し開口してもよいし、栽培孔２１の形態によっては、図９に示されるようにこれと直交する短辺側に偏寄させて開口してもよい。
【００２５】
また栽培トレー２の前後左右に栽培孔２１を偏寄させて開口する他、図１０に示されるように、栽培孔２１を千鳥状に配置するなどして栽培トレー２を前後逆としたときに上下の栽培トレー２で栽培孔２１が重ならないようにすることが可能である。
【００２６】
また栽培トレー２のマーキングＭは、より認識が容易となるように、図１１（ａ）に示されるように一辺を裾広がりの波状となるように形成してもよいし、図１１（ｂ）に示されるように切り欠き２３ａに対して更に他とは異なる着色２５を施してもよいし、切り欠き２３ａは設けず着色２５だけのマーキングＭとしてもよい。
【００２７】
また栽培トレー２は、平面視で、矩形状に形成する他、平面視で正方形、多角形（図１２参照）、円形及び楕円形等で形成してあっても構わない。
【００２８】
また栽培トレー２の主要部分の材質を浮力の少ない部材で構成する場合には、図１３に示されるように空気等が充填された浮力体２６を具えるようにしてもよい。
【００２９】
【発明の効果】
請求項１記載の水耕栽培用の栽培トレーによれば、栽培トレー２は同一形状であり、各栽培トレー２の前後を逆向きにして重ね合わせたときに、外周寸法は同一であり、前記栽培孔２１の位置は上下に位置する栽培トレー２で重ならないよう前記栽培孔２１が開口されているため、発芽工程において散水された水Ｗがすぐに排水されてしまうことが防止されるとともに、耕土Ｓ及び種子Ａ１の流出も防がれる。なお因みに発芽工程において、栽培トレー２を重ねることにより、幼苗Ａ２の必要以上の生長を抑え、ほぼ均一に生長した幼苗Ａ２を得ることができる。
【００３０】
また請求項２記載の水耕栽培用の栽培トレーによれば、栽培孔２１の位置が上下に位置する栽培トレー２で重ならないよう前記栽培孔２１を開口するにあたって、栽培孔２１全体を前後左右いずれかに偏寄して開口したため、栽培トレー２に対する栽培孔２１の全体位置によって栽培トレー２の前後左右が判断しやすく、発芽工程時栽培トレー２を前後を逆向きに重ねる際に、作業効率が向上する。
【００３１】
更に請求項３記載の水耕栽培用の栽培トレーによれば、栽培トレー２の前後左右を知るためのマーキングＭがされているため、発芽工程時栽培トレー２を前後を逆向きに重ねる際に、容易に判断でき、作業効率が向上するとともに、設置ミスが生じにくい。
【００３２】
更にまた請求項４記載の水耕栽培用の栽培トレーによれば、栽培トレー２は矩形平板状をしているため、育成棚１０等へより多くの栽培トレー２を隙間を生じることなく、配置することができる。
【００３３】
更にまた請求項５記載の水耕栽培用の栽培トレーによれば、栽培トレー２の栽培孔２１は上方から下方に向かって穴が狭まるように形成されているため、耕土Ｓがそのまま落下することが防がれる。またスリット孔であるため、栽培トレー２上に対し栽培孔２１の面積を広く取ることができる。
【００３４】
更にまた請求項６記載の水耕栽培用の栽培トレーによれば、栽培トレー２は培養液１０Ｌ上を浮かんで培養液１０Ｌの流れにより移動されるため、常に隣接する栽培トレー２は間を詰めた状態となり、整列させる手間が省ける。また栽培トレー２の移動構成がコンベヤ等を用いない簡単な構造なため、低コストでの実施ができ、メンテナンスに要する経費も低く抑えることができる。また上述したように単に浮かべて流す構成であるため、育成棚１０が途中で動かなくなるようなことがほとんどなく、また何かにつかえて動かなくなったとしても棒等で突いて流れを促すことにより簡単に復旧できる。従って従来のハウス内に設けられていた整備・メンテナンス用の作業路を少なくすることができ、逆に水耕栽培面積を広くすることができる。更に育成棚１０の一端側で収穫できるため、収穫作業の労力が軽減される。
【図面の簡単な説明】
【図１】水耕栽培装置の使用状態を示す斜視図である。
【図２】水耕栽培システムの大略を段階的に示す説明図である。
【図３】本発明の水耕栽培用の栽培トレーを一部破断して示す斜視図である。
【図４】同上平面図並びに側面図である。
【図５】発芽工程における栽培トレーを複数枚積み重ねた状態を示す縦断側面図である。
【図６】水耕栽培装置における循環経路を模式的に示す縦断側面図である。
【図７】水耕栽培装置の設置態様を示す平面図である。
【図８】本発明の栽培トレーの側端部を円弧状に形成した他の実施形態を示す縦断側面図である。
【図９】栽培孔の形状と偏寄させる方向を異ならせた他の実施の形態を示す平面図である。
【図１０】栽培孔を千鳥状に配置した実施の形態を示す平面図である。
【図１１】マーキングの構成を異ならせた他の二種の実施の形態を示す平面図並びに側面図である。
【図１２】栽培トレーの平面形状を異ならせた他の実施の形態を示す平面図である。
【図１３】栽培トレーに浮力体を設けた実施の形態を示す側面図である。
【図１４】従来の水耕栽培装置の設置態様の一例を示す平面図である。
【符号の説明】
１      水耕栽培装置
２      栽培トレー
３      栽培床
４      棚
５      発芽室
６      収穫装置
７      シート
１０    育成棚
１０Ｌ  培養液
１１    仕切壁
１２    供給管
１２ａ  噴出口
１３Ｆ  排水溝
１３Ｂ  排水溝
１４    循環経路
２１    栽培孔
２２    狭縁部
２３    広縁部
２３ａ  切り欠き
２５    着色
２６    浮力体
６０    栽培トレー移送コンベヤ
６１    刈刃
６２    被収穫物移送コンベヤ
６３    送風機
６４    収容箱
Ａ      作物
Ａ１    種子
Ａ２    幼苗
Ａ３    葉
Ｍ      マーキング
Ｐ      ポンプ
Ｒ      作業路
Ｓ      耕土
Ｗ      水
【図１】
2004344088.tif 000003
【図２】
2004344088.tif 000004
【図３】
2004344088.tif 000005
【図４】
2004344088.tif 000006
【図５】
2004344088.tif 000007
【図６】
2004344088.tif 000008
【図７】
2004344088.tif 000009
【図８】
2004344088.tif 000010
【図９】
2004344088.tif 000011
【図１０】
2004344088.tif 000012
【図１１】
2004344088.tif 000013
【図１２】
2004344088.tif 000014
【図１３】
2004344088.tif 000015
【図１４】
2004344088.tif 000016